(57)【要約】【課題】気泡を用いて、図案のより詳細な表示や流れのより詳細な可視化を行う場合に必要な気泡発生デバイス及び表示装置を提供する。【解決手段】気泡発生デバイス３０は、液体に対して相対的に移動しながら前記液体中において複数の気泡を発生するものである。気泡発生デバイス３０は、液体に接する接液面３１Ａ〜３１Ｂを有するボディ３１と、接液面３１Ａに設けられ気泡を発生させる第１の陰極３３Ｃと、接液面３１Ｂに設けられ気泡を発生させる第２の陰極３３Ｃと、を備える。第１の陰極３３Ｃと第２の陰極３３Ｃとは、移動方向の直交方向において隣り合う。第１の陰極３３Ｃと第２の陰極３３Ｃとは、移動方向において離れている。【選択図】図３
2018036078.tif 000002
【特許請求の範囲】
【請求項１】
液体に対して相対的に移動しながら前記液体中において複数の気泡を発生する気泡発生デバイスであって、
前記液体に接する接液面を有するボディと、
前記接液面に設けられ前記気泡を発生させる第１の気泡発生部と、
前記接液面に設けられ前記気泡を発生させる第２の気泡発生部と、を備え、
前記第１の気泡発生部と前記第２の気泡発生部とは、移動方向の直交方向において隣り合い、
前記第１の気泡発生部と前記第２の気泡発生部とは、移動方向において離れていることを特徴とする気泡発生デバイス。
【請求項２】
液体に対して相対的に移動しながら前記液体中において複数の気泡を発生する気泡発生デバイスであって、
前記液体に接する接液面を有するボディと、
第１の接液面に設けられ前記気泡を発生させる第１の気泡発生部と、
前記第１の接液面とは異なる第２の接液面に設けられ前記気泡を発生させる第２の気泡発生部と、を備え、
前記第１の気泡発生部と前記第２の気泡発生部とは、移動方向の直交方向において隣り合い、
前記ボディの下流側では、前記複数の液体の流れが合流し、
前記第１の接液面は、一の流れにおける接液面であり、
前記第２の接液面は、他の流れにおける接液面であることを特徴とする気泡発生デバイス。
【請求項３】
前記接液面は、前記液体の流れ方向に対し流線形となっていることを特徴とする請求項１または２記載の気泡発生デバイス。
【請求項４】
前記第１の気泡発生部は第１の電極を有し、
前記第２の気泡発生部は第２の電極を有し、
さらに、
前記第１の電極に印加する第１電圧と前記第２の気泡発生部の前記電極に印加する第２電圧とを個別に制御するコントローラを備えたことを特徴とする請求項１ないし３のうちいずれか１項記載の気泡発生デバイス。
【請求項５】
入力装置をさらに備え、
前記コントローラは、前記入力装置から入力された図案情報に基づいて、前記第１電圧や前記第２電圧を制御することを特徴とする請求項４記載の気泡発生デバイス。
【請求項６】
前記液体を前記流路へ流す送液部品と、
前記流路に配された整流部材と、
前記整流部材の下流に配された請求項１ないし５のうちいずれか１項記載の気泡発生デバイスと、を備えたことを特徴とする表示装置。
【請求項７】
前記液体を収容する液体収容部材と、
前記液体収容部材に配された請求項１ないし５のうちいずれか１項記載の気泡発生デバイスと、
前記気泡発生デバイスを移動させる移動装置と、を備えたことを特徴とする表示装置。
【請求項８】
液体中又は液面に並ぶ複数の気泡に対し画像光を投光する投光ステップと、
前記気泡において画像を表示する表示ステップと、
を備えたことを特徴とする表示方法。
【請求項９】
液体に対して相対的に移動しながら前記液体中において複数の気泡を発生する気泡発生デバイスと、
前記気泡に所定の光を放つ光源と、を備え、
前記光源は、
第１光源と、
前記第１光源よりも高い位置又は移動方向の下流側に配された第２光源と、を有し、
前記気泡発生デバイスから発生した気泡が到達する部分を第１部分、前記気泡が前記第１部分を通過した後に到達する部分を第２部分と定義した際、
前記第１光源は前記第１部分を照射し、
前記第２光源は前記第２部分を照射することを特徴とする表示装置。
【発明の詳細な説明】
【技術分野】
【０００１】
本発明は、気泡発生デバイス、表示装置及び表示方法に関する。
【背景技術】
【０００２】
流体の流れを可視化するために、電気分解により発生した気泡を利用して、液体の流れを把握する水素気泡法が知られている（例えば、特許文献１）。
【先行技術文献】
【特許文献】
【０００３】
【特許文献１】特開昭５８−１５１６０号公報
【発明の概要】
【発明が解決しようとする課題】
【０００４】
特許文献１に記載のように流れの可視化をより詳細に行う場合には、流路の幅方向に電極を密に配さなければならない。また、気泡を用いて図案を表示しようとする場合、この図案をより詳細に表現する場合にも、同様に流路の幅方向に電極を密に配さなければならない。
【０００５】
しかしながら、流路の幅方向に電極を密に配すると、流れの抵抗が増大してしまう。この結果、前者のように流れの可視化を詳細に行おうとする場合にも、可視化されたものが、本来の流体の流れから逸脱してしまうため、好ましくない。また、後者の場合にも、液体の流れが乱れてしまうため所定の図案を詳細に表現することができない。
【０００６】
本発明は、斯かる実情に鑑み、泡を用いて、図案のより詳細な表示や流れのより詳細な可視化を行う場合に必要な気泡発生デバイス、表示装置及び表示方法を提供しようとするものである。
【課題を解決するための手段】
【０００７】
本発明は、液体に対して相対的に移動しながら前記液体中において複数の気泡を発生する気泡発生デバイスであって、前記液体に接する接液面を有するボディと、前記接液面に設けられ前記気泡を発生させる第１の気泡発生部と、前記接液面に設けられ前記気泡を発生させる第２の気泡発生部と、を備え、前記第１の気泡発生部と前記第２の気泡発生部とは、移動方向の直交方向において隣り合い、前記第１の気泡発生部と前記第２の気泡発生部とは、移動方向において離れていることを特徴とする。
【０００８】
本発明は、液体に対して相対的に移動しながら前記液体中において複数の気泡を発生する気泡発生デバイスであって、前記液体に接する接液面を有するボディと、第１の接液面に設けられ前記気泡を発生させる第１の気泡発生部と、前記第１の接液面とは異なる第２の接液面に設けられ前記気泡を発生させる第２の気泡発生部と、を備え、前記第１の気泡発生部と前記第２の気泡発生部とは、移動方向の直交方向において隣り合い、前記ボディの上流側では前記液体の流れを複数に分け、前記ボディの下流側では、前記複数の液体の流れが合流し、前記第１の接液面は、一の流れにおける接液面であり、前記第２の接液面は、他の流れにおける接液面であることを特徴とする。
【０００９】
本発明は、液体に対して相対的に移動しながら前記液体中において複数の気泡を発生する気泡発生デバイスと、前記気泡に所定の光を放つ光源と、を備え、前記光源は、第１光源と、前記第１光源よりも高い位置又は移動方向の下流側に配された第２光源と、を有し、前記気泡発生デバイスから発生した気泡が到達する部分を第１部分、前記第１部分の後に到達する部分を第２部分と定義した際、前記第１光源は前記第１部分を照射し、前記第２光源は前記第２部分を照射することを特徴とする。
【００１０】
本発明の表示方法は、液体中又は液面に並ぶ複数の気泡に対し画像光を投光する投光ステップと、前記気泡において画像を表示する表示ステップと、を備えたことを特徴とする。
【発明の効果】
【００１１】
本発明によれば、泡を用いて、図案のより詳細な表示や流れのより詳細な可視化を可能にする。
【図面の簡単な説明】
【００１２】
【図１】表示装置の概要を示す説明図である。
【図２】（Ａ）は、気泡発生部及び表示部におけるIIa−IIa線断面図であり、（Ｂ）は、気泡発生部及び表示部におけるIIb−IIb線断面図である。
【図３】気泡発生デバイスの概要を示す斜視図である。
【図４】コントローラの概要を示す構成図である。
【図５】（Ａ）は、気泡発生デバイスの概要を示す平面図であり、（Ｂ）は、気泡発生デバイスの概要を示す側面図である。
【図６】（Ａ）は、第２の気泡発生デバイスの概要を示す平面図であり、（Ｂ）は、第２の気泡発生デバイスの概要を示す側面図である。
【図７】（Ａ）は、第３の気泡発生デバイスの概要を示す平面図であり、（Ｂ）は、第３の気泡発生デバイスの概要を示す側面図である。（Ｃ）は、第３の気泡発生デバイス（変形例）の概要を示す側面図である。
【図８】（Ａ）は、第４の気泡発生デバイスの概要を示すVIIIa−VIIIa線断面図であり、（Ｂ）は、第４の気泡発生デバイスの概要を示すVIIIb−VIIIb線断面図である。
【図９】（Ａ）は、第２の表示装置の概要を示すIXa−IXa線断面図であり、（Ｂ）は、第２の表示装置の概要を示す平面図である。（Ｃ）は、光源の概要を示す正面図である。
【図１０】気泡発生デバイスの電極の移動軌跡の例を示す説明図である。
【発明を実施するための形態】
【００１３】
図１に示すように、表示装置２は、液体の流路Ｒを形成する流路形成部材１０と、流路Ｒに配された整流部材２０と、整流部材２０よりも下流側の流路Ｒに配され液体にて気泡を発生させる気泡発生デバイス３０と、気泡発生デバイス３０よりも下流側の流路Ｒに配され気泡を用いた図案を表示するための表示機構４０と、表示機構４０及び整流部材２０の間の流路Ｒに配されたポンプ５０と、各部を制御するコントローラ８０と、を備える。
【００１４】
以下、流路の方向（液体が流れる方向）をＤｆ方向、流路の幅方向をＤｗ方向、Ｄｆ方向とＤｗ方向とに直交する方向をＤｚ方向として説明する。
【００１５】
図１〜２に示すように、流路形成部材１０は、筒状に形成されたものであり、その中空部が流路Ｒとなる。流路Ｒにある液体は、ポンプ５０の駆動により、所定の方向Ｄｆへ所定の流速で流れる。また、流路Ｒは循環路となっていることが好ましい。
【００１６】
流路Ｒには、整流部材２０が配された整流部Ｒ１と、気泡発生デバイス３０が配された気泡発生部Ｒ２と、気泡発生部Ｒ２の下流側に位置する表示部Ｒ３と、ポンプ５０が配された送液部Ｒ４とが、方向Ｄｆに向かって順次設定される。
【００１７】
流路形成部材１０のうち、表示部Ｒ３をなす部分は、透光部材１０ｔであることが好ましい。表示部Ｒ３における透光部材１０ｔが、表示機構４０を構成する。また、流路形成部材１０のうち、整流部Ｒ１及び気泡発生部Ｒ２をなす部分は、透光部材１０ｔであっても、遮光部材１０ｕであってもよい。
【００１８】
液体は、所定の電解質を添加した水であることが好ましい。電解質としては、塩化ナトリウム、塩化カリウム、塩化カルシウム、塩化マグネシム等を用いる。なお、電気分解による沈殿物の生成を避ける場合には、塩化ナトリウム、塩化カリウム等を用いることが好ましい。
【００１９】
整流部材２０は、上流側から流れてきた液体の流れを整えるものであればよく、多数の孔が気測定に配置された薄板でもよいし、金網でもよいし、その他公知の整流部材、そして、これらの組み合わせでもよい。
【００２０】
図３に示すように、気泡発生デバイス３０は、液体に接する一方の面（以下、接液面３１Ａ）及び液体に接する他方の面（以下、接液面３１Ｂ）を有する板状のボディ３１と、気泡発生部３３と、を備える。
【００２１】
ボディ３１は、流路Ｒの中央部のように、流体が層流となる位置において、Ｄｗ方向に伸びるように配される。ボディ３１の接液面３１Ａ〜３１Ｂは、Ｄｆ方向において流線形となっていることが好ましく、Ｄｗ方向において滑らかとなっていることが好ましい。Ｄｆ方向の長さは、特に限定されないが、例えば１０ｍｍ以上５０ｍｍ以下であることが好ましい。
【００２２】
気泡発生部３３は、接液面３１Ａに設けられ気泡を発生させるための複数の陰極３３Ｃと、複数の陰極３３Ｃに対応する複数の陽極３３Ａと、それぞれの陰極３３Ｃと陽極３３Ａとの間に対し、所定の電圧を印可する電源３３Ｐ（図１）と、を備える。
【００２３】
気泡の大きさとしては、液体において気泡として存在できる程度のものであることが好ましい。見かけ上としては、泡１つ１つが見える程度の大きさでもよいし、泡１つ１つが見えないものの、全体として霧のように見えるものでもよい。
【００２４】
陰極３３Ｃの材料は、白金、白金ロジウム、タングステン、銅、真鍮等が用いられる。陽極３３Ａの材料は、黒鉛やステンレスであることが好ましい。陽極３３Ａは、陰極３３Ｃの下流側に設けられる。陰極３３Ｃは、ボディ３１の接液面３１Ａ〜３１ＢにおいてＤｗ方向へ並ぶ。
【００２５】
なお、陽極３３Ａの配置位置について、Ｄｗ方向においては流路の端側であることが好ましい。したがって、表示部Ｒ３のうち、流路Ｒの中央部Ｖ１に陰極３３Ａを設け、流路Ｒの両端部Ｖ２に陽極３３Ａを設けることが好ましい。また、陽極３３Ａは陰極３３Ｃの上流側に設けられていてもよい。また、陽極３３Ａや陰極３３Ｃは、方向Ｄｗに対して平行となるように形成されることが好ましい。なお、陽極３３Ａや陰極３３Ｃの形状は、図示するような直線形電極でもよいし、キンク形電極やまだら形電極でもよい。
【００２６】
電源３３Ｐを用いて、所定の陽極３３Ａ及び陰極３３Ｃに電圧を掛けると、当該陰極から発生した気泡はＤｆ方向へ移動する。このため、表示部Ｒ３におけるＤｆ方向における気泡の有無は、電圧印加するタイミングにより調節可能であり、表示部Ｒ３におけるＤｗ方向における気泡の有無は、電圧印加する陰極３３Ｃの選択により調節可能である。
【００２７】
コントローラ８０は、表示部Ｒ３において表示したい図案に基づいて、所定のタイミングで、所定の電極間に所定の電圧を印加する。
【００２８】
図４に示すように、コントローラ８０は、ＣＰＵ８１と、記憶装置８２と、入力装置８３と、出力装置８４と、入出力インターフェース８５と、バス８９と、を備える。記憶装置８２は、メモリ群８２Ａと、外部記憶装置８２Ｂとを備える。
【００２９】
ＣＰＵ８１は、いわゆる中央演算処理装置であり、各種プログラムが実行されてデータ授受に関する各種サービスを実現する。メモリ群８２Ａは、ＲＡＭ（ランダム・アクセス・メモリ）と、ＲＯＭ（リード・オンリー・メモリ）と、を備える。外部記憶装置８２Ｂは、各種プログラムやその演算結果などを記憶するものであり、内蔵型の記憶装置（例えば、ハードディスクドライブ）、着脱可能な記憶装置（例えば、メモリーカード等）がある。なお、外部記憶装置８２Ｂとしては、ＮＡＳ（ネットワークアタッチストレージ）のように、通信回線経由で接続されるものでもよい。
【００３０】
外部記憶装置８２Ｂには、表示部Ｒ３に表示したい図案の情報や、表示部Ｒ３に当該図案を表示するための電圧印加条件（電圧印加する電極や電圧タイミング等）に関する情報が記憶される。  
【００３１】
入力装置８３は、入力キー、キーボードやマウス等であり、ＣＰＵ８１への演算命令など各種情報（表示したい図案の情報や電圧印加条件等）を入力するためのものである。出力装置８４は、ユーザに対し所定の情報を通知するディスプレイであり、ＣＰＵ８１の演算結果等、各種動作状態を表示する。なお、出力装置８４は、ユーザに対し所定の通知音や音声を出力可能なスピーカ等であってもよい。入出力インターフェース８５は、それぞれ受信装置と送信装置（いずれも図示しない）を備え、通信回線とにおける通信を可能にするものである。バス８９は、各部を一体的に接続して通信を行う配線となる。
【００３２】
次に、表示装置２の作用について説明する。
【００３３】
図１に示すように、コントローラ８０の制御の下、ポンプ５０は、流路Ｒにおいて液体を所定の速度（例えば、１０ｃｍ／秒以上１００ｃｍ／秒以下）で循環させる。整流部Ｒ１では、整流部材２０を通過した液体が、整った流れとなって気泡発生部Ｒ２へ流れる。
【００３４】
図４に示すように、入力装置８３を介して、外部記憶装置８２Ｂに記憶された図案の情報が選択される。これに伴い、ＣＰＵ８１は、当該図案を表示するための電圧印加条件（電圧印加する電極や電圧タイミング等）に関する情報を、外部記憶装置８２Ｂから読み取る。次に、ＣＰＵ８１は、当該図案を表示するための電圧印加条件に基づいて、電源３３Ｐ（図１）を制御する。電源３３Ｐは、所定のタイミングで、所定の電極間に所定のパルス電圧を印加する。パルス電圧が印加された電極では、電気分解が行われる。この結果、陽極３３Ａからは酸素が、陰極３３Ｃからは水素が生成する。陽極３３Ａから生成した酸素は、気泡となって方向Ｄｆへ流れる。陰極３３Ｃから生成した水素は、気泡となって方向Ｄｆへ流れる。
【００３５】
気泡発生部Ｒ２で発生した気泡は、表示したい図案に対応した配列を維持したまま表示部Ｒ３へ流れ込む。この結果、表示部Ｒ３では、気泡による図案が表示される。
【００３６】
この図案の画素を細かくする場合においては、Ｄｗ方向において隣り合う気泡の間隔、すなわち、Ｄｗ方向において隣り合う陰極３３Ｃ間の距離ＣＬ１（図５）を短くしなければならない。しかしながら、距離ＣＬ１を短くすると、電極（陰極３３Ｃ等）の近傍を通過する液体の流れが乱れ、結果として、表示部Ｒ３において所望の図案を表示することができない。本発明では、Ｄｗ方向において隣り合う陰極３３Ｃ（第１〜２気泡発生部）に関し、Ｄｆ方向において所定の距離ＣＬ２だけ離れているため、陰極３３Ｃ近傍を通過する液体の流れを抑えつつ、隣り合う陰極３３Ｃの間の距離ＣＬ１を短くすることができる。このため、所望の図案を高い解像度で表示することができる。距離ＣＬ２は、電極による乱れの影響を緩和できる程度であればよく、例えば、距離ＣＬ２の下限は、５ｍｍ以上であることが好ましく、１０ｍｍ以上であることがより好ましい。
【００３７】
ここで、「Ｄｗ方向において隣り合う陰極３３Ｃ（第１〜２気泡発生部）」とは、表示部Ｒ３にてＤｗ方向に隣り合う画素を表示するための電極を指す。
【００３８】
また、陰極３３Ｃが設けられている接液面３１Ａ〜３１Ｂは、方向Ｄｆにおいて流線形となっているため、ボディ３１の近傍を通過する気泡に関し、その流れの乱れを抑えることができる。なお、流れの乱れの影響が小さい場合には、平板等であってもよい。
【００３９】
なお、接液面３１Ａ〜３１Ｂにおいて、隣り合う陰極３３Ｃを千鳥状に配置してもよい（図６）。
【００４０】
上記実施形態では、陰極３３ＣをＤｆ方向において離したが、本発明はこれに限られない。例えば、図７に示すように、ボディ３１の表裏の接液面３１Ａ〜３１Ｂにそれぞれ陰極３３Ｃを設けてもよい。さらに、隣り合う陰極３３ＣをＤｆ方向において離す代わりに、接液面３１Ａ〜３１Ｂにおいて交互に設けてもよい。これにより、隣り合う陰極３３ＣをＤｆ方向において離す必要がなくなるため、ボディ３１のＤｆ方向の長さを短くすることができる。結果、デバイスのコンパクト化や流れの乱れの要因の低減が可能となる。係る場合において、ボディ３１の形状は、ボディ３１の上流側では複数の流れに分かれ、ボディ３１の下流側では、複数の流れが合流するようなものであることが好ましい。なお、図７（Ｂ）のように、ボディ３１の上流側にて複数の流れに分かれてもよいし、図７（Ｃ）のように、ボディ３１の上流側にて既に別の流れとなっていてもよい。
【００４１】
上記実施形態では、気泡発生部３３として陰極３３Ｃを利用したが、本発明はこれに限られず、陽極３３Ａを利用してもよい。したがって、用いる気泡も水素ではなく、酸素であってもよい。
【００４２】
上記実施形態では、Ｄｗ方向において隣り合う陰極３３Ｃ間の距離ＣＬ１（図５）を短くするとしたが、本発明はこれに限られず、距離ＣＬ２が一定以上であれば、距離ＣＬ１は０でもよいし、オーバラップしていてもよい。
【００４３】
上記実施形態では、Ｄｆ方向とＤｗ方向がなす面を表示面として表したが、この表示面の法線ベクトルは、水平であってもよいし、垂直であってもよいし、斜めであってもよい。
【００４４】
上記実施形態では、ボディ３１として板状のものを用いたが、本発明はこれに限られない。例えば、図８に示すように、ドーナツ状のボディ３１を円筒状の水槽１６に配してもよい。なお、この場合において、方向Ｄｆは、水槽１６の軸方向であり、方向Ｄｗは周方向となる。円筒状の水槽１６のうち表示部Ｒ３に相当する部分は、内周部及び外周部ともに透光部材であることが好ましい。円筒状の水槽１６の水槽を用いることで、内周面及び外周面の両方から図案を観賞することができる。
【００４５】
上記実施形態では、循環する液体の中で気泡を発生させたが、本発明はこれに限られない。図９に示すように、表示装置１１０は、水を収容する水槽１２０と、水槽１２０に配された気泡発生デバイス３０と、気泡発生デバイス３０を所定方向へ移動させる移動装置１４０と、各部を制御するコントローラ１８０と、を備える。移動装置１４０は、水槽１２０に設けられＤｆ方向へ延びるレール１４１と、レール１４１に対しＤｆ方向へスライド自在に設けられたスライド部材１４２と、スライド部材１４２から伸び気泡発生デバイス３０を支持する支持アーム１４３と、モータ（図示しない）と、を備える。コントローラ（図示しない）は、モータを駆動して所定の条件で気泡発生デバイス３０を所定の速度で移動させる機能を有すること以外は、コントローラ８０と同等の機能を有する。
【００４６】
上記実施形態では、移動装置１４０を用いて、気泡発生デバイス３０を直線移動させたが、本発明はこれに限られない。したがって、なお、気泡発生デバイス３０の陰極３３Ｃの移動軌跡３０Ｓは、気泡発生デバイス３０を直線移動（図９）させてもよいし、所定の軸ＡＸ周りの回転運動、直線運動と回転運動の組み合わせや、複数の回転運動の組み合わせであってもよい（図１０）。
【００４７】
上述した表示装置は、明るい部屋に設けてもよいし、暗室の中に設けてもよい。表示装置を暗室の中に設ける場合には、別途の光源を用いてもよい。この場合の光源としては、Ｄｗ方向及びＤｆ方向がなす面において光の放射が可能な光源（例えばレーザ光）を用いることが好ましい。
【００４８】
例えば、Ｄｚ方向において、異なる色、すなわち異なる波長の光源１６１〜１６２を水槽１２０の近傍に配置してもよい。第１光源１６１は、赤色のレーザ光を、Ｄｗ方向及びＤｆ方向がなす面内において放射する。第２光源１６２は、緑色のレーザ光を、Ｄｗ方向及びＤｆ方向がなす面内において放射する。表示部Ｒ３には、Ｄｚ方向のうち所定の高さの部分Ｒ３１〜Ｒ３２が設定される。部分Ｒ３１は、気泡発生デバイス３０とほぼ同じ高さであり、部分Ｒ３２は、部分Ｒ３１よりも上方に位置する。第１光源１６１は、赤色のレーザ光を部分Ｒ３１に対して放射し、それ以外の部分には放射しない。第２光源１６２は、青色のレーザ光を部分Ｒ３２に対して放射し、それ以外の部分には放射しない。
【００４９】
また、気泡発生デバイス３０のＤｚ方向（上側又は下側）に、気泡発生デバイス３０と同様の気泡発生デバイス１５０を設けてもよい。この場合において、光源１６３を水槽１２０の近傍に配置してもよい。第３光源１６３は、青色のレーザ光を、Ｄｗ方向及びＤｆ方向がなす面内において放射する。表示部Ｒ３において、部分Ｒ１５１〜Ｒ３４を設定する。部分Ｒ１５１は、気泡発生デバイス１５０とほぼ同じ高さであり、部分Ｒ１５２は、部分Ｒ１５１よりも上方に位置する。第３光源１６３は、青色のレーザ光を部分Ｒ１５１に対して放射し、それ以外の部分には放射しない。
【００５０】
気泡発生デバイス１５０から出た気泡は、浮力等によってＤｚ方向へ少しずつ移動する。気泡発生デバイス１５０から出た気泡は、最初に、部分Ｒ１５１に位置するため、青色のレーザ光が照射される。その後、気泡は、Ｄｚ方向へ少しずつ移動して部分Ｒ１５２に到達する。部分Ｒ１５２に到達した気泡は、光が照射されない。その後、気泡は、部分Ｒ３１に到達するため、赤色のレーザ光が照射される。このように、気泡発生デバイス１５０から出た気泡によって表示される図案は、最初が、青色で表される。次に、一旦消えた後、再び赤色で表される。
【００５１】
上記実施形態では、液中の気泡に対して光を放射したが、液体表面にある気泡に対して光を放射してもよい。
【００５２】
上記実施形態においては、気泡に対して放射した光は、画像光であってもよい。例えば、プロジェクターから放たれた画像光を気泡に投光することにより、複数の気泡からなるスクリーンに所定の画像を表示することができる。
【００５３】
上記実施形態では、所定の光をＤｗ方向及びＤｆ方向がなす面内において放射する光源を用いたが、本発明はこれに限られず、Ｄｆ方向及びＤｚ方向がなす面内に所定の光を放射する光源を用いてもよい。この場合には、複数の光源をＤｆ方向に並べてもよい。
【００５４】
上記実施形態では、表示装置について説明したが、Ｄｗ方向において一列となった電極から一度に気泡を発生させることにより、流れの可視化に利用することもできる。この場合において、気泡発生デバイス３０における電極の位置を前述と同様にすることで、Ｄｗ方向における画素を増やすことができる。結果、より詳細の可視化が可能となる。
【００５５】
上記実施形態では、気泡発生部３３として、水の電気分解の原理を利用したが本発明はこれに限られない。例えば、流路に対し気泡を送り出すゲート機構をＤｗ方向に並べ、ゲート機構の開閉を制御する制御機構によって、Ｄｗ方向に並ぶ複数のゲート機構の開閉を個別制御させてもよいし、ゲート機構の代わりにノズル機構を用いて気泡を発生させてもよい。また、加熱方式など別の原理を用いて気泡を発生させてもよい。
【００５６】
上記実施形態では、気泡発生デバイスを流路形成部材１０や水槽１２０に配置したが、本発明はこれに限られず、海、川、湖、池などに配置してもよい。
【００５７】
尚、本発明は、上記した実施の形態に限定されるものではなく、本発明の要旨を逸脱しない範囲内において種々変更を加え得ることは勿論である。
【符号の説明】
【００５８】
２     表示装置
１０   流路形成部材
２０   整流部材
３０   気泡発生デバイス
３０Ｓ 移動軌跡
３１   ボディ
３１Ａ 接液面
３１Ｂ 接液面
３３   気泡発生部
３３Ａ 陽極
３３Ｃ 陰極
３３Ｐ 電源
４０   表示機構
５０   ポンプ
８０   コントローラ
１１０ 表示装置
１２０ 液体収容部材
１４０ 移動装置
Ｒ     流路
Ｒ１   整流部
Ｒ２   気泡発生部
Ｒ３   表示部
Ｒ４   送液部
【図１】
2018036078.tif 000003
【図２】
2018036078.tif 000004
【図３】
2018036078.tif 000005
【図４】
2018036078.tif 000006
【図５】
2018036078.tif 000007
【図６】
2018036078.tif 000008
【図７】
2018036078.tif 000009
【図８】
2018036078.tif 000010
【図９】
2018036078.tif 000011
【図１０】
2018036078.tif 000012